(57)【要約】【課題】  遠方からでも良好な視認性を得ることができ、しかも、省電力で発光効率の高い避難誘導用注意喚起装置を提供すること。【解決手段】  複数のブレード１を基台２に等間隔かつ対称的に起立固定して、風力を受けて縦軸回りに回転して、このトルクにより風力発電機３で発電可能にして、この電力を蓄電装置31に蓄電可能にする一方、前記ブレード１の表面には、蓄光材が担持されてなる蓄光板４を止着して、かつ、前記基台２には、前記蓄電装置31から電力が供給される紫外線光源５を配設して、この紫外線光源５による紫外線が前記蓄光板４に照射されて蓄光されることによってブレード１の表面を発光可能にするとともに、この紫外線光源５の発光時間を、光源スイッチ７によって点滅制御可能にするという技術的手段を採用した。【選択図】  図１
2017015792.tif 000002
【特許請求の範囲】
【請求項１】
避難場所へ誘導するための注意喚起装置であって、
複数のブレード（１）が基台（２）に等間隔かつ対称的に起立固定されており、風力を受けて縦軸回りに回転して、このトルクにより風力発電機（３）で発電可能であり、この電力を蓄電装置（31）に蓄電可能である一方、
前記ブレード（１）の表面には、蓄光材が担持されてなる蓄光板（４）が止着されており、かつ、前記基台（２）には、前記蓄電装置（31）から電力が供給される紫外線光源（５）が配設されており、この紫外線光源（５）による紫外線が前記蓄光板（４）に照射されて蓄光されることによってブレード（１）の表面が発光可能であるとともに、
この紫外線光源（５）の発光時間が、光源スイッチ（７）によって点滅制御可能であることを特徴とする避難誘導用注意喚起装置。
【請求項２】
ブレード（１）の表面が、複数の平面（11）が連続して形成されており、これら各平面（11）に平板状の蓄光板（４）が止着されていることを特徴とする請求項１記載の避難誘導用注意喚起装置。
【請求項３】
複数のブレード（１）の配色構成が、異なる色彩からなる単色のブレード（１）同士、または表面に複数の色彩がそれぞれ配色されたブレード（１）であることを特徴とする請求項１または２記載の避難誘導用注意喚起装置。
【請求項４】
蓄光板（４）の表面にガラスコーティング層（41）を有することを特徴とする請求項１〜３の何れか一つに記載の避難誘導用注意喚起装置。
【請求項５】
基台（２）には、可視光線光源（６）が配設されており、この可視光線光源（６）による可視光線が前記蓄光板（４）の表面に照射されて当該可視光線が反射可能であり、
この可視光線光源（６）の発光時間が、光源スイッチ（７）によって点滅制御可能であることを特徴とする請求項１〜４の何れか一つに記載の避難誘導用注意喚起装置。
【請求項６】
基台（２）におけるブレード（１）の凹面内側に紫外線光源（５）および／または可視光線光源（６）が配設されていることを特徴とする請求項５記載の避難誘導用注意喚起装置。
【請求項７】
基台（２）の上面に太陽光発電機（８）が配設されており、この電力を蓄電装置（31）に蓄電可能である一方、蓄電装置（31）から紫外線光源（５）および／または可視光線光源（６）への電力が供給可能であることを特徴とする請求項５または６記載の避難誘導用注意喚起装置。
【発明の詳細な説明】
【技術分野】
【０００１】
本発明は、避難誘導装置の改良、更に詳しくは、遠方からでも良好な視認性を得ることができ、しかも、省電力で発光効率の高い避難誘導用注意喚起装置に関するものである。
【背景技術】
【０００２】
周知のとおり、地震や津波等の自然災害が発生した場合には、住民が安全な場所へ避難できるように適切に誘導する必要があることから、屋外における避難経路上に所定の間隔で誘導装置が設置されている。
【０００３】
従来、かかる誘導装置として、風力発電装置や太陽光発電装置を具備し、これらの発電力によって照明を点灯させて注意を喚起するものが知られているが、照明の発光によって注意を喚起する以上は照明を連続的に点灯させねばならず、消費電力が大きくなるために、風力発電および太陽光発電による発電量では足りず、商用電源の併用やバッテリーによる補助がなければ発光時間が短くなってしまい、夜間に消灯して視認できなくなってしまうおそれがあった。
【０００４】
そこで、発光時間を補うために、誘導装置の一部に蓄光材を塗布するものが開示されている（例えば、特許文献１参照）。
【０００５】
しかしながら、かかる誘導装置は、装置の静止部分を発光させるだけであるために視認性に乏しく、十分な注意喚起機能を発揮することができないという問題があった。また、蓄光材に照射する光の波長と蓄光材の組み合わせによっては、蓄光材に十分に蓄光されないため、反応する波長を適合させて確実に蓄光させなければならない。
【先行技術文献】
【特許文献】
【０００６】
【特許文献１】特開２００３−１００１１１号公報
【発明の概要】
【発明が解決しようとする課題】
【０００７】
本発明は、従来の避難誘導装置に上記のような問題があったことに鑑みて為されたものであり、その目的とするところは、遠方からでも良好な視認性を得ることができ、しかも、省電力で発光効率の高い避難誘導用注意喚起装置を提供することにある。
【課題を解決するための手段】
【０００８】
本発明者が上記技術的課題を解決するために採用した手段を、添付図面を参照して説明すれば、次のとおりである。
【０００９】
即ち、本発明は、避難場所へ誘導するための注意喚起装置であって、
複数のブレード１を基台２に等間隔かつ対称的に起立固定して、風力を受けて縦軸回りに回転して、このトルクにより風力発電機３で発電可能にして、この電力を蓄電装置31に蓄電可能にする一方、
前記ブレード１の表面には、蓄光材が担持されてなる蓄光板４を止着して、かつ、前記基台２には、前記蓄電装置31から電力が供給される紫外線光源５を配設して、この紫外線光源５による紫外線が前記蓄光板４に照射されて蓄光されることによってブレード１の表面を発光可能にするとともに、
この紫外線光源５の発光時間を、光源スイッチ７によって点滅制御可能にするという技術的手段を採用したことによって、避難誘導用注意喚起装置を完成させた。
【００１０】
また、本発明は、上記課題を解決するために、必要に応じて上記手段に加え、ブレード１の表面を、複数の平面11を連続させて形成し、これら各平面11に平板状の蓄光板４を止着するという技術的手段を採用することができる。
【００１１】
更にまた、本発明は、上記課題を解決するために、必要に応じて上記手段に加え、複数のブレード１の配色構成を、異なる色彩からなる単色のブレード１同士、または表面に複数の色彩がそれぞれ配色されたブレード１にするという技術的手段を採用することができる。
【００１２】
更にまた、本発明は、上記課題を解決するために、必要に応じて上記手段に加え、蓄光板４の表面にガラスコーティング層41を有するという技術的手段を採用することができる。
【００１３】
更にまた、本発明は、上記課題を解決するために、必要に応じて上記手段に加え、基台２には、可視光線光源６を配設して、この可視光線光源６による可視光線が前記蓄光板４の表面に照射されて当該可視光線を反射可能にして、
この可視光線光源６の発光時間を、光源スイッチ７によって点滅制御可能にするという技術的手段を採用することができる。
【００１４】
更にまた、本発明は、上記課題を解決するために、必要に応じて上記手段に加え、基台２におけるブレード１の凹面内側に可視光線光源５および／または紫外線光源６を配設するという技術的手段を採用することができる。
【００１５】
更にまた、本発明は、上記課題を解決するために、必要に応じて上記手段に加え、基台２の上面に太陽光発電機８を配設して、紫外線光源５および／または可視光線光源６への電力を供給可能にするという技術的手段を採用することができる。
【発明の効果】
【００１６】
本発明は、複数のブレードを基台に等間隔かつ対称的に起立固定して、風力を受けて縦軸回りに回転して、このトルクにより風力発電機で発電可能にして、この電力を蓄電装置に蓄電可能にする一方、
前記ブレードの表面には、蓄光材が担持されてなる蓄光板を止着して、かつ、前記基台には、前記蓄電装置から電力が供給される紫外線光源を配設して、この紫外線光源による紫外線が前記蓄光板に照射されて蓄光されることによってブレードの表面を発光可能にするとともに、
この紫外線光源の発光時間を、光源スイッチ７によって点滅制御可能にすることによって、遠方からでも良好な視認性を得ることができ、しかも、省電力で高い発光効率を得ることができる。
【００１７】
したがって、本発明の避難誘導用注意喚起装置によれば、風力による回転運動部分であるブレードを発光させたことにより、このブレード発光および回転運動との「注意喚起の相乗効果」を得ることができるため、装置の静止部分を発光させるものと比較しても、抜群の視認性を発揮することができ、発光に要する電力や照度を低く設計することができるため、省電力化および各装置の小型軽量化ができることから、産業上の利用価値は頗る大きい。
【図面の簡単な説明】
【００１８】
【図１】本発明の第１実施形態の避難誘導装置を表わす斜視図である。
【図２】本発明の第１実施形態の避難誘導装置の構造の概略を表わす正面図である。
【図３】本発明の第１実施形態の避難誘導装置の構造を表わす端面図である。
【図４】本発明の第１実施形態の避難誘導装置の構造を表わす拡大端面図である。
【図５】本発明の第１実施形態の避難誘導装置の変形例を表わす正面図である。
【図６】本発明の第２実施形態の避難誘導装置の変形例を表わす斜視図である。
【図７】本発明の実施形態の避難誘導装置の変形例の構造を表わす端面図である。
【図８】本発明の実施形態の避難誘導装置の変形例の構造を表わす端面図である。
【発明を実施するための形態】
【００１９】
本発明の実施形態を以下に説明する。図中、符号１で指示するものはブレードであり、符号２で指示するのは基台、符号３で指示するものは風力発電機、符号４で指示するものは蓄光板である。
【００２０】
また、符号５で指示するものは紫外線光源であり、符号６で指示するのは可視光線光源、符号７で指示するものはスイッチ、符号８で指示するものは太陽光発電機である。
【００２１】
『第１実施形態』
本発明の第１実施形態を図１から図５に基づいて説明する。本発明は、地震や津波等の自然災害が発生した場合に、避難場所へ誘導するための注意喚起装置であって、構成するにあっては、まず、複数のブレード１を基台２に等間隔かつ対称的に起立固定する。本実施形態のブレード１は２枚で構成され、基台２において上下から支持されており、所謂「サボニウス型風車」を採用する（図１参照）。このブレード１は、小型軽量であるアルミニウム製が好ましく、金型鋳造品や折曲板体を使用することができる。
【００２２】
そして、前記ブレード１が風力を受けて縦軸（鉛直方向）回りに回転して、このトルクにより風力発電機３で発電可能にする（図２参照）。本実施形態では、基台２が回転して、連結された風力発電機３の外枠を回転させて誘導電流を得ることができる（シャフト側は固定）。なお、図示しないが、この回転時に摩擦抵抗がかからないように、「磁気浮上式」（例えば、特開平１１−１５９４３８号公報）の磁気軸受を採用することもできる。こうして発電された電力は蓄電装置31（本実施形態では「キャパシタ」）に蓄電可能である。
【００２３】
また、前記ブレード１の表面には、蓄光材が担持されてなる蓄光板４を止着（貼着）する。蓄光材には、紫外線反応型のものを採用するとともに、蓄光板４は、粉末状の蓄光材を樹脂に混練して基材を成形したものや、ペースト状にして基材の表面に塗布して成形することができ、ブレード１の表面形状に合致するように、可撓性を有するシート状のものや剛性を有する平板状、曲板状のもの等を採用することができる。
【００２４】
更にまた、前記基台２には、紫外線（波長１０ｎｍ〜４００ｎｍ程度）を照射する紫外線光源５を配設する。紫外線光源５には紫外線発光ダイオード（ＵＶ−ＬＥＤ）や所謂「ブラックライト」などを採用する。
【００２５】
本実施形態では、この紫外線光源５を上側の基台２と下側の基台２の両方に配設して、上下からブレード１の全面に亙って照射できるようにする。この紫外線光源５の台数および位置は任意に決定することができる。
【００２６】
そして、この紫外線光源５による紫外線が前記蓄光板４に照射されて蓄光されることによってブレード１の表面を発光させることができる。
【００２７】
この際、この紫外線光源５の発光時間を、光源スイッチ７によって点滅制御可能にし、具体的には、蓄光が減衰してきた時に点灯させる。
【００２８】
また、本実施形態では、図３に示すように、ブレード１の表面を、複数の平面11を連続させて形成することができ、ブレード１近傍の乱気流の発生を抑制して回転抵抗を減少させて、回転効率を向上させることができる。
【００２９】
このような複数平面に構成するその他の利点として、表面が曲面のブレードであった場合に、この曲面に沿って蓄光シート等を止着しようとすると、板状のものは剛性が高く可撓性が乏しいため、曲面に貼り付けようとするとカーブにうまく合致せずに表面が割れてしまうおそれがあり、かと言って、シート状のものであったとしても、このシートにシワが寄って表面の蓄光材が剥離してしまうおそれがあることから、複数の平面11を連続させて形成することによって、これら各平面11に平板状の蓄光板４を止着することができるため（図４参照）、表面に確実に適合して施工性を向上させることができ、かつ、蓄光材の損傷を防止することもできる。なお、蓄光板４はブレード１の両面に止着することもできる。
【００３０】
更にまた、本実施形態では、複数のブレード１の配色構成を、異なる色彩からなる単色のブレード１同士（図５（ａ）参照）、または表面に複数の色彩がそれぞれ配色されたブレード１にする（図５（ｂ）（ｃ）参照）ことができ、視覚的な注意喚起性を向上させることができる。この配色の差異は、蓄光板４の有無によるものであっても良いし、塗料の塗り分けなどを組み合わせたのであっても良い。
【００３１】
更にまた、本実施形態では、蓄光板４の表面にガラスコーティング層41を有するようにすることができ、耐候性や可視光線の反射性を向上させることができる。この際、このガラスコーティング層41には、透明のガラス層の他、視認性を高めるために再帰反射材や蛍光塗料などを設けることもできる。
【００３２】
『第２実施形態』
本発明の第２実施形態を図６に基づいて説明する。本実施形態では、前記紫外線光源５に加え、基台２に、可視光線（波長３８０ｎｍ〜７８０ｎｍ程度）を照射する可視光線光源６を配設し、前記紫外線光源５照射の蓄光による発光の減衰時の視認性を補助することができる。この可視光線光源６には発光ダイオード（ＬＥＤ）を採用する。
【００３３】
本実施形態では、これらの紫外線光源５および可視光線光源６を上側の基台２と下側の基台２の両方にそれぞれ配設して、上下からブレード１の全面に亙って照射できるようにする。これら紫外線光源５および可視光線光源６の台数および位置は任意に決定することができる。
【００３４】
そして、この紫外線光源５による紫外線が前記蓄光板４に照射されて蓄光されることによってブレード１の表面を発光可能にする一方、可視光線光源６による可視光線が前記蓄光板４の表面に照射されて当該可視光線を反射可能にすることができる。
【００３５】
この際、これらの紫外線光源５および（／または）可視光線光源６の発光時間を、光源スイッチ７によってそれぞれ点滅制御することができる。
【００３６】
本実施形態では、可視光線光源６を併用するため、例えば、紫外線光源５および可視光線光源６ともに消灯している状態から、紫外線光源５および可視光線光源６の両方を点灯させてブレード１に対して照射することによって、紫外線光源５の作用によって蓄光板４に蓄光させながらも可視光線光源６の可視光線によって直接的な視認効果を与えることができる。
【００３７】
そして、蓄光によってブレード１が発光している間は、紫外線光源５および可視光線光源６ともに消灯している。このように、可視光線光源６の作用によるブレード１の発光（反射光）は、蓄光によるブレード１の発光を補助するものである。
【００３８】
この際、紫外線光源５および可視光線光源６を同時に点灯させると消費電力が大きくなるために、光源スイッチ７によって交互に点灯させるなど制御して、最大消費電力を抑えることができる。
【００３９】
なお、本実施形態では、紫外線光源５および／または可視光線光源６への電力の供給のために、商用電力やバッテリーなどの外部電源を接続することも当然に可能である。
【００４０】
また、本実施形態では、基台２におけるブレード１の凹面内側に紫外線光源６および／または可視光線光源５を配設することができ、ブレード１の表面全体に効率的に照射することができる。
【００４１】
更にまた、本実施形態では、基台２の上面に太陽光発電機８を配設して、紫外線光源５および／または可視光線光源６への電力を供給可能にすることもでき、昼間の日照エネルギーを効率的に活用することができる。
【００４２】
本発明は、概ね上記のように構成されるが、図示の実施形態に限定されるものでは決してなく、「特許請求の範囲」の記載内において種々の変更が可能であって、例えば、ブレード１の枚数は、図７および図８に示すように３枚や４枚にすることができるし、更に５枚以上にすることもでき、材質や形状も変更することができる。
【００４３】
また、紫外線光源５および／または可視光線光源６をブレード１の凹面外側（凸面側）にも設置して、このブレード１の凹面外側（凸面側）に照射できるように構成することもでき、これら何れのものも本発明の技術的範囲に属する。
【符号の説明】
【００４４】
１    ブレード
11    平面
２    基台
３    風力発電機
31    蓄電装置
４    蓄光板
５    紫外線光源
６    可視光線光源
７    光源スイッチ
８    太陽光発電機
【図１】
2017015792.tif 000003
【図２】
2017015792.tif 000004
【図３】
2017015792.tif 000005
【図４】
2017015792.tif 000006
【図５】
2017015792.tif 000007
【図６】
2017015792.tif 000008
【図７】
2017015792.tif 000009
【図８】
2017015792.tif 000010